(57)【特許請求の範囲】
【請求項１】
パネルフレームの屋外側に板状の外断熱材が重ねられ、その外側に外壁材が備えられている断熱外壁パネルにおいて、
前記外断熱材が発泡樹脂断熱材からなり、その外面に、左右方向に延びる取付け用の凹所が上下方向に間隔をおいて複数設けられると共に、各凹所内に、左右方向に延びる外壁材取付け用の固定金物が凹所内に突出するように取り付けられ、外壁材が該固定金物によって外断熱材と近接状態となるように取り付けられており、かつ、
前記外断熱材の外面に、前記凹所よりも深い縦向きに延びる通気層形成用の凹所が形成されていることを特徴とする断熱外壁パネル。
【請求項２】
建物躯体の柱の両側に請求項１に記載の断熱外壁パネルがパネルフレームで柱を両側から挟むように取り付けられ、各外壁パネルの外断熱材は柱の前面側に張り出して所定の間隔をおいて側面部同士が対向すると共に、これら対向する側面部にはそれぞれ上下方向に延びる凹条が設けられ、この対向面間に乾式目地材が前記凹条と係合するように嵌め込まれていることを特徴とする断熱外壁構造。
【発明の詳細な説明】
【０００１】
【発明の属する技術分野】
本発明は、断熱外壁パネル及び断熱外壁構造に関する。
【０００２】
【従来の技術及び課題】
外壁材の背面部にパネルフレームが取り付けられると共に、パネルフレームに囲まれた内部にグラスウール等の繊維系断熱材が詰め込まれた内断熱式の外壁パネルは、従来よりよく知られている。
【０００３】
しかしながら、この外壁パネルでは、内部結露を生じやすい、ヒートブリッジによって室温が変動しやすい、パネル間の目地を湿式でコーキングしなければならないなどの不利な面を有していた。
【０００４】
本発明は、このような背景において、内部結露を生じにくく、ヒートブリッジを少なくして室温変動を小さく抑えることができ、パネル間を乾式目地材でシールすることができ、更に多くの利点を有する断熱外壁パネル及び断熱外壁構造を提供することを課題とする。
【０００５】
【課題を解決するための手段】
上記の課題は、パネルフレームの屋外側に板状の外断熱材が重ねられ、その外側に外壁材が備えられていることを特徴とする断熱外壁パネルによって解決される。
【０００６】
この断熱外壁パネルは、パネルフレームの屋外側に板状の外断熱材が重ねられた、いわゆる外断熱外壁パネルに構成されているものであるから、内部結露を生じにくい。しかも、外壁パネル間を外断熱材で断熱することもでき、ヒートブリッジを防いで室温変動を小さく抑えることができる。また、隣り合う外壁パネル間の目地の深さ寸法が外断熱材によって大きく確保され、乾式目地材で外壁パネル間をシールすることもできて、目地の防水施工の作業性向上を図ることが可能となる。
【０００７】
のみならず、外断熱材を外壁パネルのパネルフレームに重ねるようにして外壁パネルに備えさせているから、外断熱材をパネルフレームで補強することができ、そのため、外断熱材から専用の補強枠材を排除することができて、外壁構造を簡素化することができる。即ち、外壁パネルと外断熱パネルとを別々のパネルに構成する場合には、外断熱材には、これを補強する専用枠材が必要であるが、外壁パネルに予め外断熱材を組み込むパネル構成とすることで、外断熱材に専用の枠材を排除することができ、外壁構造を簡素な構造にすることができる。
【０００８】
外断熱材としては、例えば、ポリプロピレンフォーム、ポリスチレンフォーム、発泡ポリウレタン等の発泡樹脂、あるいは、これらにフェノール、イソシアヌレートなどの有機材料、ハロゲン等をブレンドして耐火性能を高めたもの、あるいは、耐火性能に優れた無機系の発泡材などが用いられる。また、外断熱材として、ポリプロピレンフォームなどの止水性を有するものを用いることにより、外断熱材それ自体でパネル内への雨水等の侵入を防ぐことが可能となる。
【０００９】
パネルフレームに囲まれた内部に内断熱材が備えられている場合は、この内断熱材と外断熱材とで断熱性能を高めることができるのみならず、内断熱材を内部結露で濡らしてしまうのを防ぐことができる。しかも、内断熱材の使用により、外断熱材の厚さ寸法を小さくすることができ、建物外への外断熱材の突出を小さく抑えることができる。加えて、室内の冷暖房の立ち上がりを速くすることができる。内断熱材としては、グラスウール、ロックウール等の繊維系断熱材が用いられてもよいし、発泡ウレタンなどの発泡樹脂が用いられてもよい。
【００１０】
外断熱材の外面部に通気層を形成する凹所が形成されている場合は、外断熱材と外壁材との間に通気層を形成することができる。のみならず、外断熱材の内面側はパネルフレームで支えられて補強されているから、外断熱材の外面側に補強枠を備えさせる必要がなく、そのため、外断熱材の外面側に直接通気用の凹所を形成することができ、外断熱材と外壁材との間に通気層を有する外壁パネルを簡素な構造で実現することができる。しかも、予めこの凹所の形成された外断熱材を用いて外壁パネルを製作することにより、外壁パネルの製作を容易に行うことができる。
【００１１】
外壁材が外断熱材に取り付けられている場合は、ビスなどの取付け金具をパネルフレームまで深くねじ込んでいく必要がなく、外壁材の取付けを簡易に行うことができる。この場合、外断熱材として、外壁材の下地となりうる剛性を有するものを用いるとよい。
【００１２】
外断熱材が発泡樹脂からなり、その内部に耐熱性を有するスペーサーが埋め込まれており、外壁材が、このスペーサーを通じてパネルフレームに連結されている場合は、火災などで外断熱材が焼失しても、外壁材の脱落を防ぐことができる。
【００１３】
建物躯体の柱の両側に上記の断熱外壁パネルがパネルフレームで柱を両側から挟むように取り付けられ、各外壁パネルの外断熱材は柱の前面側に張り出して所定の間隔をおいて対向し、この対向面間に乾式目地材が嵌め込まれている断熱外壁構造の場合は、このように、乾式目地材で目地をシールすることができ、目地の施工を能率良く行うことができる。
【００１４】
【発明の実施の形態】
次に、本発明の実施形態を図面に基づいて説明する。
【００１５】
図１及び図２に示す実施形態の断熱外壁パネル１において、２はパネルフレーム、３は外断熱材、４は外壁材としての外壁面材、５は内断熱材である。
【００１６】
パネルフレーム２は、上下左右の鋼製溝形材を開口側を内向きにして方形環状に組んだもので、このパネルフレーム２に囲まれた内部には内断熱材５が備えられている。内断熱材５は、例えばグラスウールなどからなる。
【００１７】
そして、このパネルフレーム２の屋外側に、板状の外断熱材３が重ねられて取り付けられている。外断熱材３は、例えば、断熱性、剛性、止水・防水性のいずれにも優れた、例えばポリプロピレンフォームなどの発泡樹脂成形品からなる。このように、外断熱材３を外壁パネル１のパネルフレーム２に重ねるようにして取り付ける構成とすることによって、外断熱材３をこのパネルフレーム２で補強することができ、外断熱材３から専用の補強枠材を排除して、外壁構造を図３に示すように簡素なものにすることができる。
【００１８】
この外断熱材３は、図１（イ）に示すように、その左右両側部がパネルフレーム２よりも側方に突出するように備えられており、この突出部分が、図３及び図４に示すように、建物躯体の柱６の前面側に張り出すようになされている。
【００１９】
また、外断熱材３の側面には、例えば図示面に示すように上下方向に延びる凹条７，７などによる凹凸が形成されている。この凹凸は、乾式目地材を係合させるものであり、外断熱材３の側面部に直接に形成されている。
【００２０】
更に、この外断熱材３の外面部には、縦向きの延びる凹所８が横方向に複数列設されており、外壁面材４を外断熱材３の外面部に沿わせるように取り付けた状態で、外断熱材３と外壁面材４との間に通気層９…が形成されるようになされている。この通気部形成用の凹所８は、外断熱材３に直接形成されており、例えば外断熱材３を成形するときに同時成形で形成されたものであってよい。
【００２１】
そして、この外断熱材３の外面側に外壁面材４が備えられている。この外壁面材４は、次のようにして取り付けられている。即ち、外断熱材３には、金属や樹脂などによる筒状あるいはリング状の耐熱スペーサー１０が埋込み状態に備えられていて、ビスなどの取付け金具１１が、このスペーサー１０に通され、このスペーサー１０を介してパネルフレーム２に取り付けられており、外壁面材４とパネルフレーム２とは、外断熱材３がなくとも、このスペーサー１０を介して取付け金具１１によって適正な取付け状態を維持しうるようになされている。これにより、火災によって外断熱材３が万一焼失しても、外壁面材４が建物から脱落してしまうのを防ぐことができる。
【００２２】
上記の外壁パネル１は、図３及び図４に示すように、建物躯体の柱６の両側に、パネルフレーム２，２で柱６を両側から挟むように取り付けられる。これにより、図４（ロ）に示すように、各外壁パネル１，１の外断熱材３，３は、柱６の前面側に張り出し、所定の目地幅間隔をおいて対向する。外断熱材３，３が柱６の前面側に張り出すことで、ヒートブリッジが抑えられる。そして、この対向面間に乾式目地材１２が嵌め込まれ、外壁パネル１，１間がシールされている。乾式目地材１２には、目地幅の変動に追従する弾力性あるゴム状のものを用いるとよい。このように、外断熱材３を組み込んだ外壁パネル１とすることにより、目地１３の深さ寸法をある程度大きくすることができ、目地１３のシーリングに乾式目地材１２を使用することができるようになり、目地の施工を能率良く行うことができるようになる。特に、外断熱材３の側面に形成した凹条７などによる凹凸との係合作用で乾式目地材１２をしっかりと目地１３内に保持することができる。この凹条７などによる凹凸は発泡樹脂製外断熱材３の側面に形成すればよいから、その形成も容易である。
【００２３】
図５及び図６に示す実施形態の外壁パネル１は、タイル貼り外壁パネルからなり、サイディングにタイルを接着剤やビスで取り付けたものを外壁材４とし、複数のこの外壁材４…が外断熱材３の外面部にサイディング固定金物１５…によって外断熱材３に対して取り付けられている。この場合、外断熱材３として、ポリプロピレンフォームなどのような、下地としての剛性が高く、しかも、止水性に優れる発泡樹脂を用いることにより、これら外壁材４…を外断熱材３にしっかりと保持させることができると共に、外断熱材３によって雨水等の侵入を防ぐことができる。外断熱材３の外面には、サイディング固定金物１５を取り付ける凹所１６を形成しておくとよい。サイディング固定金物１５をこの凹所１６内に突出させるようにして取り付けることで、外壁材４…と外断熱材３とを近接状態にすることができる。なお、図示しないが、サイディング固定金物１５用の凹所１６より幾分深い通気層形成用の凹所９…を外断熱材３の外面に縦向き延ばして形成しておくことにより、外壁材４の背面側に侵入した雨水等をスムーズに流下させることができる。
【００２４】
以上に、本発明の実施形態を示したが、本発明はこれに限られるものではなく、発明思想を逸脱しない範囲で、各種の変更が可能である。例えば、板状の外断熱材は、一枚物であってもよいし、上下方向及び／又は左右方向に断熱材を複数組んで構成されたものであってもよい。また、図５及び図６に示す実施形態において、サイディング固定金物１５は、外断熱材３を介してパネルフレーム２にビス止め等により取り付けられていてもよい。
【００２５】
【発明の効果】
本発明は、以上のとおりのものであるから、内部結露を生じにくく、ヒートブリッジを少なくして室温変動を小さく抑えることができ、パネル間を乾式目地材でシールすることができるのみならず、その他、種々有利な効果を発揮することができる。
【図面の簡単な説明】
【図１】実施形態の外壁パネルを示すもので、図（イ）は断面平面図、図（ロ）は図（イ）のＩ−Ｉ線断面図である。
【図２】同外壁パネルの分解斜視図である。
【図３】外壁パネルを建物に取り付ける前の状態を示す断面平面図である。
【図４】図（イ）は外壁パネルを取り付けた状態を示す断面平面図、図（ロ）は柱部分を拡大した断面平面図である。
【図５】他の実施形態の外壁パネルを示す断面側面図である。
【図６】同外壁パネルの分解斜視図である。
【符号の説明】
１…断熱外壁パネル
２…パネルフレーム
３…外断熱材
４…外壁材
５…内断熱材
６…柱
８…通気層形成用凹所
９…通気層
１０…耐熱スペーサー
１１…取付け金具
１２…乾式目地材
１５…固定金物
１６…凹所
【図１】
0004436530.tif 000002
【図２】
0004436530.tif 000003
【図３】
0004436530.tif 000004
【図４】
0004436530.tif 000005
【図５】
0004436530.tif 000006
【図６】
0004436530.tif 000007